(57)【要約】【課題】本発明は、手走査型の原稿読み取り装置において、位置検出部による誤検出等の不具合の発生を抑制することを目的とする。また、走査性の向上を図ることを目的とする。【解決手段】原稿読み取り装置は、原稿を読み取るための読取用開口部が形成された底面部を有するハウジングと、底面部において、読取用開口部を挟んでそれぞれ配置され、原稿読み取り装置の位置を検出する位置検出部と、原稿と接触する接触面と、接触面の一部に形成される検出用開口部とを備え、底面部において、検出用開口部が位置検出部と対向するように配置されているフット部と、を備える。【選択図】図２
2011029832.tif 000002
【特許請求の範囲】
【請求項１】
原稿読み取り装置であって、
原稿を読み取るための読取用開口部が形成された底面部を有するハウジングと、
前記底面部において、前記読取用開口部を挟んでそれぞれ配置され、前記原稿読み取り装置の位置を検出する位置検出部と、
原稿と接触する接触面と、前記接触面の一部に形成される検出用開口部とを備え、前記底面部において、前記検出用開口部が前記位置検出部と対向するように配置されているフット部と、を備える原稿読み取り装置。
【請求項２】
請求項１に記載の原稿読み取り装置において、
前記底面部は、直線状に形成された一対の長辺部と、前記一対の長辺部の両端をそれぞれつなぐ一対の短辺部と、を備え、
前記フット部は、前記読取用開口部と前記各短辺部との間にそれぞれ配置されている原稿読み取り装置。
【請求項３】
請求項１または請求項２に記載の原稿読み取り装置において、
前記長辺部から前記フット部までの前記底面部の短辺方向の距離が、前記長辺部から前記読取用開口部までの前記短辺方向の距離より短い原稿読み取り装置。
【請求項４】
請求項１ないし請求項３のいずれかに記載の原稿読み取り装置において、
前記フット部は、前記接触面の外周に面取り部を備えている原稿読み取り装置。
【請求項５】
原稿読み取り装置であって、
原稿を読み取るための読取用開口部と、原稿と接触する接触面と、が形成された底面部を有するハウジングと、
前記底面部において、前記読取用開口部を挟んでそれぞれ配置され、原稿読み取り装置の位置を検出する位置検出部と、を備え、
前記接触面は、前記位置検出部を囲んで形成されている原稿読み取り装置。
【請求項６】
請求項１ないし請求項５のいずれかに記載の原稿読み取り装置において、
前記ハウジングは、前記底面部の長辺方向に沿って延伸した形状を備えるとともに、延伸方向に直交する方向の断面が台形形状に形成されている原稿読み取り装置。
【請求項７】
請求項１ないし請求項６のいずれかに記載の原稿読み取り装置において、
前記ハウジングは、上面部が台形形状を有している原稿読み取り装置。
【請求項８】
原稿読み取り装置であって、
直線状に形成された一対の長辺部と、前記一対の長辺部の両端をそれぞれつなぐ一対の短辺部と、原稿を読み取るための開口部と、を備える底面部を有するハウジングと、
前記底面部の長辺方向の端部にそれぞれ配置され、前記短辺部に沿って延伸する形状を有するフット部と、を備える原稿読み取り装置。
【請求項９】
請求項８に記載の原稿読み取り装置はさらに、
前記開口部と前記フット部との間に、原稿読み取り装置の位置を検出するための位置検出部を備えている原稿読み取り装置。
【発明の詳細な説明】
【技術分野】
【０００１】
本発明は、原稿読み取り装置に関する。
【背景技術】
【０００２】
従来から、ハンドスキャナーやマウススキャナーなど、ハウジングの底面部を原稿に接触させることで、底面部に設けられた開口部から原稿を読み取る手走査型の原稿読み取り装置が知られている（特許文献１）。これらの原稿読み取り装置の中には、読み取り原稿に対する原稿読み取り装置の相対的な位置を検出するための位置検出部を備え、断片的に読み取った原稿の画像データの原稿全体における相対的な位置を特定することで、原稿全体の画像データを生成するものが知られている。
【先行技術文献】
【特許文献】
【０００３】
【特許文献１】特開平８−１４７１０４号公報
【特許文献２】ＷＯ００／２６８５１
【発明の概要】
【発明が解決しようとする課題】
【０００４】
しかし、読み取り原稿の撓みなどにより、位置検出部が、原稿読み取り装置の相対的な位置を誤検出することや、位置を検出できない等の不具合が生じる虞があった。また、底面部の形状等を原因として、本ののどに形成されるページの谷間では、原稿の読み取りが困難となることや、原稿の端部では、走査時に原稿を引っ掛けるなどの不具合が生じることがあった。これらのことから、原稿読み取り装置の形状については、利便性の向上を図る余地があった。
【０００５】
本発明は、上記した従来の課題の少なくとも一部を解決するためになされた発明であり、手走査型の原稿読み取り装置において、位置検出部による誤検出等の不具合の発生を抑制することを目的とする。また、走査性の向上を図ることを目的とする
【課題を解決するための手段】
【０００６】
上記課題の少なくとも一部を解決するために本願発明は以下の態様を採る。
【０００７】
第１の態様は、原稿読み取り装置を提供する。本発明の第１の態様に係る原稿読み取り装置は、原稿を読み取るための読取用開口部が形成された底面部を有するハウジングと、前記底面部において、前記読取用開口部を挟んでそれぞれ配置され、前記原稿読み取り装置の位置を検出する位置検出部と、原稿と接触する接触面と、前記接触面の一部に形成される検出用開口部とを備え、前記底面部において、前記検出用開口部が前記位置検出部と対向するように配置されているフット部と、を備える。
【０００８】
第１の態様に係る原稿読み取り装置によれば、接触面と検出用開口部を備えるフット部が、ハウジングの底面部において、検出用開口部と位置検出部とが対向するように配置されているため、位置検出部による誤検出等の不具合の発生を抑制することができる。
【０００９】
第１の態様に係る原稿読み取り装置において、前記底面部は、直線状に形成された一対の長辺部と、前記一対の長辺部の両端をそれぞれつなぐ一対の短辺部と、を備え、前記フット部は、前記読取用開口部と前記各短辺部との間にそれぞれ配置されていてもよい。この場合、フット部の検出用開口部は、読取用開口部を挟んでそれぞれに配置される位置検出部のぞれぞれと対向するように配置されているため、位置検出部による誤検出等の不具合の発生を抑制することができる。
【００１０】
第１の態様に係る原稿読み取り装置において、前記長辺部から前記フット部までの前記底面部の短辺方向の距離が、前記長辺部から前記読取用開口部までの前記短辺方向の距離より短くてもよい。この場合、フット部が前記読取用開口部よりも長辺部に近いため、原稿読み取り装置の走査性を向上させることができる。
【００１１】
第１の態様に係る原稿読み取り装置において、前記フット部は、前記接触面の外周に面取り部を備えていてもよい。この場合、フット部は接触面の外周に面取り部を備えているため、原稿読み取り装置の走査性を向上させることができる。
【００１２】
第２の態様は、原稿読み取り装置を提供する。本発明の第２の態様に係る原稿読み取り装置は、原稿を読み取るための読取用開口部と、原稿と接触する接触面と、が形成された底面部を有するハウジングと、前記底面部において、前記読取用開口部を挟んでそれぞれ配置され、原稿読み取り装置の位置を検出する位置検出部と、を備え、前記接触面は、前記位置検出部を囲んで形成されている。
【００１３】
第２の態様に係る原稿読み取り装置によれば、ハウジングの底面部において、原稿と接触する接触面が前記位置検出部を囲んで形成されているため、位置検出部による誤検出等の不具合の発生を抑制することができる。
【００１４】
第１の態様および第２の態様に係る原稿読み取り装置において、前記ハウジングは、前記底面部の長辺方向に沿って延伸した形状を備えるとともに、延伸方向に直交する方向の断面が台形形状に形成されていてもよい。この場合、ハウジングが台形断面を備えることで原稿読み取り装置の走査性を向上させることができる。
【００１５】
第１の態様および第２の態様に係る原稿読み取り装置において、前記ハウジングは、上面部が台形形状を有していてもよい。この場合、台形形状の上面部を備えることで原稿読み取り装置の走査性を向上させることができる。
【００１６】
第３の態様は、原稿読み取り装置を提供する。本発明の第３の態様に係る原稿読み取り装置は、直線状に形成された一対の長辺部と、前記一対の長辺部の両端をそれぞれつなぐ一対の短辺部と、原稿を読み取るための開口部と、を備える底面部を有するハウジングと、前記底面部の長辺方向の端部にそれぞれ配置され、前記短辺部に沿って延伸する形状を有するフット部と、を備える。
【００１７】
第３の態様に係る原稿読み取り装置によれば、ハウジングの底面部において、長辺部が直線状に形成され、また、フット部が短辺部に沿って延伸する形状を有しているため、原稿読み取り装置の走査性を向上させることができる。
【００１８】
第２の態様に係る原稿読み取り装置はさらに、前記開口部と前記フット部との間に、原稿読み取り装置の位置を検出するための位置検出部を備えていてもよい。この場合、原稿読み取り装置の移動量および移動方向を良好に検出することができる。
【００１９】
本発明は、種々の態様で実現することが可能であり、ハンドスキャナーやマウススキャナーのほか、例えば、ハンドスキャナーを一部に備えたコピー装置やファクシミリ装置などにより実現することができる。
【図面の簡単な説明】
【００２０】
【図１】本発明の第１の実施例におけるマウススキャナーの上側の外観を例示した説明図である。
【図２】本発明の第１の実施例におけるマウススキャナーの下側の外観を例示した説明図である。
【図３】マウススキャナーの底部の配置構成を説明するための説明図である。
【図４】第１の実施例に係るマウススキャナーの断面の一部を例示した説明図である。
【図５】原稿読み取り時の位置検出部付近の状態を例示した説明図である。
【図６】位置検出部と原稿との位置関係を説明するための説明図である。
【図７】本発明の第２の実施例におけるマウススキャナーの下側の外観を例示した説明図である。
【図８】第２の実施例に係るマウススキャナーの断面の一部を例示した説明図である。
【図９】本発明の第３の実施例におけるマウススキャナーの上側の外観を例示した説明図である。
【図１０】本発明の第３の実施例におけるマウススキャナーの下側の外観を例示した説明図である。
【図１１】マウススキャナーの底部の配置構成を説明するための説明図である。
【図１２】フット部の断面形状を例示した説明図である。
【図１３】マウススキャナーにおける位置検出モジュールの配置構成を説明するための説明図である。
【図１４】マウススキャナーによる原稿の読み取り状態を説明するための説明図である。
【図１５】原稿読み取り時のフット部付近の状態を例示した説明図である。
【図１６】変形例１に係るマウススキャナーの下側の外観を例示した説明図である。
【図１７】変形例２に係るマウススキャナーの上側の外観を例示した説明図である。
【図１８】変形例２に係るマウススキャナーの底部の配置構成を説明するための説明図である。
【発明を実施するための形態】
【００２１】
以下、本発明に係る原稿読み取り装置の一態様であるマウススキャナーについて、図面を参照しつつ、実施例に基づいて説明する。
【００２２】
Ａ．第１の実施例：
Ａ１．マウススキャナーの外部構成：
図１は、本発明の第１の実施例におけるマウススキャナーの上側の外観を例示した説明図である。図２は、本発明の第１の実施例におけるマウススキャナーの下側の外観を例示した説明図である。図３は、マウススキャナーの底部の配置構成を説明するための説明図である。図４は、第１の実施例に係るマウススキャナーの断面の一部を例示した説明図である。図４（ａ）は、図３のＸ−Ｘ断面を例示している。図４（ｂ）は、図３のＹ−Ｙ断面を例示している。マウススキャナー１００は、読み取り対象物（原稿）を光学的に読み取り、ケーブル２００を介して接続されている図示しないコンピュータに画像データを出力する画像読み取り装置として機能するほか、コンピュータの操作に用いられるポインティングデバイスとしても機能する。マウススキャナー１００は、いわゆる手走査型のスキャナーであり、手動により装置自体を読み取り対象物（原稿）上で走査させることにより原稿を読み取る。図１〜図３に示すように、マウススキャナー１００は、上側ハウジング部材１１０と、下側ハウジング部材１２０と、ホイール１３１と、読取ボタン１３２と、透過板１４０と、４つの位置検出部（前方右側位置検出部Ｓｆｒ、前方左側位置検出部Ｓｆｌ、後方右側位置検出部Ｓｒｒ、後方左側位置検出部Ｓｒｌ）と、前方フット部１５１と、後方フット部１５２と、を備えている。
【００２３】
上側ハウジング部材１１０は、略長板形状の外形を備えた蓋部材であり、下側ハウジング部材１２０の上部に配置されている。上側ハウジング部材１１０と下側ハウジング部材１２０は、マウススキャナー１００のハウジングを形成する。上側ハウジング部材１１０は、短辺方向の略中央にホイール用開口部１１１を備え、ハウジングの内部に配置されているホイール１３１の一部がホイール用開口部１１１から露出している。また、上側ハウジング部材１１０は、読取ボタン１３２を配置するため、長辺の一部に切欠部１１２を備えている。本実施例では、図３に示すように、上側ハウジング部材１１０の短辺方向の幅をＷ１とする。
【００２４】
下側ハウジング部材１２０は、上部が開放された略函形状に形成され、底面部１２０ａと、２つの長辺側側面部１２０ｂと、２つの短辺側側面部１２０ｃと、により構成されている。底面部１２０ａは、下側ハウジング部材１２０の底部に形成され、略長方形状を有している。底面部１２０ａは、長手方向に形成された略直線状の長辺部１２０eと、長手方向に直交する方向（以後「短手方向」とも呼ぶ）に形成された略直線状の短辺部１２０ｓと、を備えている。図３に示すように、短辺部１２０ｓの幅Ｗ２は、上側ハウジング部材１１０の短辺方向の幅Ｗ１より狭くなるように形成されている。よって、本実施例に係るマウススキャナー１００は、長手方向と直交する断面が略台形形状に形成されている。長辺側側面部１２０ｂは、長辺部１２０eを介して底面部１２０ａと接続されている。また、短辺側側面部１２０ｃは、底面部１２０ａの短辺部１２０ｓを介して底面部１２０ａと接続されている。なお、本実施例では、短辺部１２０ｓは直線状に形成されているが、形状は特に限定されず、例えば、山形形状などの曲線状に形成されていてもよい。
【００２５】
下側ハウジング部材１２０は、一方の短辺側側面部１２０ｃにコネクタ２０１が接続されるための図示しない開口部を備えている。以後、本実施例において、コネクタ２０１が接続されるための開口部を備えている一方の短辺側側面部１２０ｃ側をマウススキャナー１００の「前方側」とも呼び、他方の短辺側側面部１２０ｃ側を「後方側」とも呼ぶ。
【００２６】
下側ハウジング部材１２０は、底面部１２０ａの略中央に矩形の読取用開口部１２１を備えている。読取用開口部１２１は、ハウジングの内部に配置されている図示しない撮像部が原稿を読み取るための開口部である。読取用開口部１２１は、一対の開口端辺が長辺部１２０eと略平行となるように形成されている。本実施例では、底面部１２０ａの短手方向における読取用開口部１２１の開口端辺と長辺部１２０eとの距離をＤ１とする。読取用開口部１２１は、透明なプラスチック板やガラス板等により形成された透過板１４０により覆われている。下側ハウジング部材１２０は、長辺側側面部１２０ｂの一部で上側ハウジング部材１１０の切欠部１１２と対応する位置に、読取ボタン１３２を配置するための、切欠部１２０ｄを備えている。
【００２７】
４つの位置検出部（前方右側位置検出部Ｓｆｒ、前方左側位置検出部Ｓｆｌ、後方右側位置検出部Ｓｒｒ、後方左側位置検出部Ｓｒｌ）は、読み取り原稿に対するマウススキャナー１００の相対的な位置を特定するために、互いに直交する２つの方向の移動量を検出する。前方右側位置検出部Ｓｆｒ、および、前方左側位置検出部Ｓｆｌは、底面部１２０ａにおいて、前方側の短辺部１２０ｓと読取用開口部１２１との間に配置されている。また、後方右側位置検出部Ｓｒｒ、および、後方左側位置検出部Ｓｒｌは、底面部１２０ａにおいて、後方側の短辺部１２０ｓと読取用開口部１２１との間に配置されている。
【００２８】
前方右側位置検出部Ｓｆｒ、および、前方左側位置検出部Ｓｆｌは、それぞれの検出部の中心から外側の長辺部１２０eまでの距離Ｄ２が読取用開口部１２１の開口端辺から長辺部１２０eまでの距離Ｄ１より長くなるように配置されている。また、後方右側位置検出部Ｓｒｒ、および、後方左側位置検出部Ｓｒｌは、それぞれの検出部の中心から外側の長辺部１２０eまでの距離Ｄ３が読取用開口部１２１の開口端辺から長辺部１２０eまでの距離Ｄ１より長くなるように配置されている。なお、距離Ｄ２と距離Ｄ３は、同じであってもよいし、異なっていてもよい。
【００２９】
前方フット部１５１、および、後方フット部１５２は、マウススキャナー１００と原稿との摩擦を低減させるための滑走用部材であり、プラスチックやウレタン等により形成されている。前方フット部１５１、および、後方フット部１５２は、底面部１２０ａに配置されることで底面部１２０ａの外表面に凸部を形成する。よって、マウススキャナー１００を原稿上で走査させた場合には、前方フット部１５１および後方フット部１５２が原稿に接触する。
【００３０】
前方フット部１５１は、略矩形の板状の外形を備え、底面部１２０ａにおいて、前方側の短辺部１２０ｓと読取用開口部１２１との間に配置されている。前方フット部１５１は、長辺部１２０eまでの距離Ｄ４が読取用開口部１２１から長辺部１２０eまでの距離Ｄ１より短くなるように形成されている。また、前方フット部１５１は、底面部１２０ａと接触する面と反対側の原稿と接触する面に、２つの検出用開口部１５１ｈが形成された接触面１５１ａを備えている。図４（ａ）に示すように、一方の検出用開口部１５１ｈは前方左側位置検出部Ｓｆｌと対向し、同様に、他方の検出用開口部１５１ｈは前方右側位置検出部Ｓｆｒと対向している。また、前方フット部１５１は、略台形形状の断面を有し、厚み方向に形成される側面１５１ｂと、接触面１５１ａと側面１５１ｂとの間に形成される面取り部１５１ｃと、を備えている。面取り部１５１ｃは、接触面１５１ａを原稿に接触させた際の原稿との角度θ１が１０〜４５°となるように形成されている。角度θ１は、２８°程度とすることが望ましい。
【００３１】
後方フット部１５２は、略矩形の板状の外形を備え、底面部１２０ａにおいて、後方側の短辺部１２０ｓと読取用開口部１２１との間に配置されている。後方フット部１５２は、長辺部１２０eまでの距離Ｄ５が読取用開口部１２１から長辺部１２０eまでの距離Ｄ１より短くなるように形成されている。また、後方フット部１５２は、底面部１２０ａと接触する面と反対側の原稿と接触する面に、２つの検出用開口部１５２ｈが形成された接触面１５２ａを備えている。図４（ｂ）に示すように、一方の検出用開口部１５２ｈは後方左側位置検出部Ｓｒｌと対向し、同様に、他方の検出用開口部１５２ｈは後方右側位置検出部Ｓｒｒと対向している。また、後方フット部１５２は、略台形形状の断面を有し、厚み方向に形成される側面１５２ｂと、接触面１５２ａと側面１５２ｂとの間に形成される面取り部１５２ｃと、を備えている。面取り部１５２ｃは、接触面１５２ａを原稿に接触させた際の原稿との角度θ２が１０〜４５°となるように形成されている。角度θ２は、２８°程度とすることが望ましい。
【００３２】
Ａ２．マウススキャナーによる位置検出：
図５は、原稿読み取り時の位置検出部付近の状態を例示した説明図である。図５（ａ）は、本発明に係る原稿読み取り装置の位置検出部付近を例示した説明図である。図５（ｂ）は、比較例として、本発明に係るフット部を備えない原稿読み取り装置の位置検出部付近を例示した説明図である。前方フット部１５１の検出用開口部１５１ｈは、接触面１５１ａの一部に形成されているため、検出用開口部１５１ｈと接触面１５１ａとは近接もしくは隣接している。そのため、図５（ａ）の白抜き矢印で示すように、前方フット部１５１の接触面１５１ａは、検出用開口部１５１ｈと隣接もしくは近接した位置で原稿Ｐを押さえるため、検出用開口部１５１ｈの下側において、原稿Ｐが撓むことを抑制している。これにより、検出用開口部１５１ｈを介して、前方右側位置検出部Ｓｆｒ、もしくは、前方左側位置検出部Ｓｆｌは、原稿Ｐとの距離Ｄｃを一定に保つことができる。
【００３３】
同様に、後方フット部１５２の検出用開口部１５２ｈは、接触面１５２ａの一部に形成されているため、検出用開口部１５２ｈと接触面１５２ａとは近接もしくは隣接している。そのため、後方フット部１５２の接触面１５２ａは、検出用開口部１５２ｈと隣接もしくは近接した位置で原稿Ｐを押さえるため、検出用開口部１５２ｈの下側において、原稿Ｐが撓むことを抑制している。これにより、検出用開口部１５２ｈを介して、後方右側位置検出部Ｓｒｒ、もしくは、後方左側位置検出部Ｓｒｌは、原稿Ｐとの距離Ｄｃを一定に保つことができる。一方、フット部の接触面が位置検出部と近接もしくは隣接していない場合には、図５（ｂ）に示すように、底面部１２０ａと原稿Ｐとの隙間があるため、位置検出部の下側において原稿Ｐが撓む虞がある。この場合、位置検出部と原稿Ｐとの距離Ｄｃが一定に保つことができない。
【００３４】
図６は、位置検出部と原稿との位置関係を説明するための説明図である。図６（ａ）に示すように、マウススキャナー１００により、本３００のページの上端部付近を読み取る場合には、前方右側位置検出部Ｓｆｒ、および、前方左側位置検出部Ｓｆｌは原稿面上から外れるが、後方右側位置検出部Ｓｒｒ、および、後方左側位置検出部Ｓｒｌは原稿面上に残るため、２つの位置検出部により検出された移動量からマウススキャナー１００の移動方向と移動量のほか、回転方向と回転量を算出することができる。また、同様に、マウススキャナー１００により、本３００のページの下端部付近を読み取る場合には、後方右側位置検出部Ｓｒｒ、および、後方左側位置検出部Ｓｒｌは原稿面上から外れるが、前方右側位置検出部Ｓｆｒ、および、前方左側位置検出部Ｓｆｌは原稿上に残るため、２つの位置検出部により移動量の検出をおこなうことができる。
【００３５】
４つの位置検出部（前方右側位置検出部Ｓｆｒ、前方左側位置検出部Ｓｆｌ、後方右側位置検出部Ｓｒｒ、後方左側位置検出部Ｓｒｌ）は、読取用開口部１２１より、長辺部１２０eから遠い位置に配置されている。そのため、本３００のページの小口側端部付近を読み取るために読取用開口部１２１の開口端辺と原稿の小口側端部とを重ねても、４つの位置検出部Ｓｆｒ、Ｓｆｌ、Ｓｒｒ、Ｓｒｌは原稿上に残る。よって、この場合についても、２以上の位置検出部により移動量の検出をおこなうことができる。
【００３６】
また、マウススキャナー１００は、底面部１２０ａが長方形状に形成されているため、図６（ｂ）に示すように、本３００ののどに形成されるページの谷間付近の山形形状の原稿を読み取る際にも、短手方向の幅が長手方向の幅に比べて小さいため、フット部の接触面１５１ａ、１５２ａ全体が原稿と接触することができるため、２以上の位置検出部により移動量の検出をおこなうことができる。また、長辺部１２０eが略直線状であるため、ページの谷間にマウススキャナー１００を這わせて原稿を読み取ることができる。
【００３７】
前方フット部１５１および後方フット部１５２は、読取用開口部１２１と比べると、長辺部１２０eまでの距離が短いため、原稿の端部付近を読み取る際にも、接触面１５１ａ、１５２ａの少なくとも一部が原稿上に配置された状態となりやすい。従って、原稿上から外れた前方フット部１５１および後方フット部１５２が再び原稿上に乗り上げる際の原稿の引っかかりを抑制することができる。また、前方フット部１５１および後方フット部１５２は、原稿面上から外れた後、再び原稿上に乗り上げる場合であっても、乗り上げる際に、接触する原稿の端部を、面取り部１５１ｃ、１５２ｃにより下方向に移動させるため、容易に乗り上げることができる。
【００３８】
以上説明した第１の実施例に係るマウススキャナー１００によれば、フット部は、検出用開口部と位置検出部とが対向するようにハウジングの底面部に配置されているため、位置検出部による誤検出等の不具合の発生を抑制することができる。具体的には、本実施例に係るフット部１５１、１５２の検出用開口部１５１ｈ、１５２ｆは、接触面１５１ａ、１５２ａの一部に形成されているため、検出用開口部１５１ｈ、１５２ｈと接触面１５１ａ、１５２ａとは近接もしくは隣接している。そのため、図５（ａ）の白抜き矢印で示すように、フット部１５１、１５２の接触面１５１ａ、１５２ａは、検出用開口部１５１ｈ、１５２ｈと隣接もしくは近接した位置で原稿Ｐを押さえるため、検出用開口部１５１ｈ、１５２ｈの下側において、原稿Ｐが撓むことを抑制している。これにより、検出用開口部１５１ｈ、１５２ｈを介して、位置検出部Ｓｆｒ、Ｓｆｌ、Ｓｒｒ、Ｓｒｌは、原稿Ｐとの距離Ｄｃを一定に保つことができる。
【００３９】
位置検出部Ｓｆｒ、Ｓｆｌ、Ｓｒｒ、Ｓｒｌは、原稿にレーザー光を照射するとともに、原稿からの反射光を取得してマウススキャナー１００の移動量を検出ため、位置検出部Ｓｆｒ、Ｓｆｌ、Ｓｒｒ、Ｓｒｌと原稿Ｐとの距離Ｄｃが一定に保たれていない場合には誤検出が生じる虞があった。しかし、本実施例に係るマウススキャナー１００によれば、位置検出部Ｓｆｒ、Ｓｆｌ、Ｓｒｒ、Ｓｒｌと原稿Ｐとの距離を一定に保つことができるため、誤検出等の不具合の発生を抑制することができる。
【００４０】
第１の実施例に係るマウススキャナー１００によれば、位置検出部およびフット部は、読取用開口部と各短辺部との間にそれぞれ配置されているため、位置検出部による誤検出等の不具合の発生を抑制することができる。具体的には、マウススキャナー１００は、原稿の上端部付近もしくは下端部付近を読み取る状態において、少なくとも２つの位置検出部が原稿上に配置されるように、位置検出部が読取用開口部１２１と各短辺部１２０ｓとの間にそれぞれ２つずつ配置されている。フット部１５１、１５２は、読取用開口部１２１と各短辺部１２０ｓとのそれぞれの間において、２つの位置検出部を覆うように配置されるため、効率的に位置検出部と原稿との距離を一定に保つことができる。
【００４１】
第１の実施例に係るマウススキャナー１００によれば、ハウジングの底面部に形成された長辺部からフット部までの底面部の短辺方向の距離が、長辺部から読取用開口部までの短辺方向の距離より短いため、原稿読み取り装置の走査性を向上させることができる。具体的には、底面部１２０ａの短手方向において、長辺部１２０eから前方フット部１５１および後方フット部１５２までの距離が、長辺部１２０eから読取用開口部１２１までの距離より短いため、原稿の端部付近を読み取る際にも、接触面１５１ａ、１５２ａの一部が、より原稿上に残りやすく、前方フット部１５１および後方フット部１５２による原稿の引っかかりを抑制することができる。
【００４２】
第１の実施例に係るマウススキャナー１００によれば、フット部は面取り部を備えているため、走査性を向上させることができる。具体的には、原稿上から一度外れた前方フット部１５１および後方フット部１５２が、再び原稿上に乗り上げる際に、接触する原稿の端部を面取り部１５１ｃ、１５２ｃにより下方向に移動させることができるため、原稿の引っかかりを抑制することができる。
【００４３】
第１の実施例に係るマウススキャナー１００によれば、ハウジングは、底面部の長辺方向に沿って延伸した形状を備えるとともに、延伸方向に直交する方向の断面が台形形状に形成されているため、原稿読み取り装置の走査性を向上させることができる。具体的には、マウススキャナー１００は、底面部１２０ａの長辺方向に沿って延伸した形状を備えているため、長辺部１２０eの直線形状を本のページの谷間の直線形状に沿わせることで、従来の原稿読み取り装置に比べて、読取用開口部１２１をページの谷間の比較的深い位置に移動させることができる。また、上側ハウジング部材１１０の短辺方向の幅が底面部１２０ａの幅より広いため、持ちやすく、また、走査時に、ハウジングとページの山状部との干渉が抑制されるため、マウススキャナー１００を容易に走査させることができる。
【００４４】
Ｂ．第２の実施例：
Ｂ１．マウススキャナーの外部構成：
第１の実施例では、フット部を備えたマウススキャナーについて説明したが、第２の実施例では、フット部の代わりにハウジングの底面部にフット部と同様の形状が形成されたマウススキャナーについて説明する。
【００４５】
図７は、本発明の第２の実施例におけるマウススキャナーの下側の外観を例示した説明図である。図８は、第２の実施例に係るマウススキャナーの断面の一部を例示した説明図である。図８（ａ）は、第２の実施例に係るマウススキャナーにおける図４（ａ）と対応した断面を例示している。図８（ｂ）は、第２の実施例に係るマウススキャナーにおける図４（ｂ）と対応した断面を例示している。なお、第２の実施例において、第１の実施例と同じ符号を付した構成部分については、第１の実施例と同様の形状・機能等を有しているため説明を省略する。
【００４６】
図７に示すように、第２の実施例に係るマウススキャナー１０１は、上側ハウジング部材１１０と、下側ハウジング部材１２５と、透過板１４０と、４つの位置検出部（前方右側位置検出部Ｓｆｒ、前方左側位置検出部Ｓｆｌ、後方右側位置検出部Ｓｒｒ、後方左側位置検出部Ｓｒｌ）と、を備えている。また、マウススキャナー１０１は、図１に示すマウススキャナー１００と同様に、ホイール１３１と、読取ボタン１３２と、を備えている。マウススキャナー１０１の上側の外観、および、底面部１２０ａの配置構成については第１の実施例と同様であるため説明を省略する。
【００４７】
マウススキャナー１０１は、底面部１２０ａにおいて、第１の実施例に係るマウススキャナー１００の前方フット部１５１の代わりに前方凸状部１２０ｒ１が形成され、後方フット部１５２の代わりに後方凸状部１２０ｒ２が形成されている。前方凸状部１２０ｒ１は、図８（ａ）に示すように、下側ハウジング部材１２５と一体的に形成され、原稿に接触する接触面１２０ｆ１と、接触面１２０ｆ１と底面部１２０ａとの間に形成される面取り部１２０ｉ１と、を備えている。接触面１２０ｆ１は、略矩形形状の外形を備え、前方右側位置検出部Ｓｆｒ、および、前方左側位置検出部Ｓｆｌを囲んで形成されている。面取り部１２０ｉ１は、接触面１２０ｆ１を原稿に接触させた際の原稿との角度θ１が１０〜４５°となるように形成されている。角度θ１は、２８°程度とすることが望ましい。
【００４８】
後方凸状部１２０ｒ２は、図８（ｂ）に示すように、下側ハウジング部材１２５と一体的に形成され、原稿に接触する接触面１２０ｆ２と、接触面１２０ｆ２と底面部１２０ａとの間に形成される面取り部１２０ｉ２と、を備えている。接触面１２０ｆ２は、略矩形形状の外形を備え、後方右側位置検出部Ｓｒｒ、および、後方左側位置検出部Ｓｒｌを囲んで形成されている。面取り部１２０ｉ２は、接触面１２０ｆ２を原稿に接触させた際の原稿との角度θ２が１０〜４５°となるように形成されている。角度θ２は、２８°程度とすることが望ましい。
【００４９】
以上説明した第２の実施例に係るマウススキャナー１０１によれば、マウススキャナーはフット部を備えない構成であっても、位置検出部による誤検出等の不具合の発生を抑制することができる。具体的には、フット部の代わりにハウジングの底面部に凸状部を形成することにより、凸状部に形成された接触面が原稿を押さえることで、原稿と位置検出部との距離を一定に保つことができ、位置検出部による誤検出等の不具合の発生を抑制することができる。
【００５０】
第２の実施例に係るマウススキャナー１０１によれば、ハウジングの底面部において、原稿と接触する接触面が位置検出部を囲んで形成されているため、位置検出部による誤検出等の不具合の発生を抑制することができる。具体的には、前方凸状部１２０ｒ１および後方凸状部１２０ｒ２の接触面１２０ｆ１、１２０ｆ２は、位置検出部の下側と隣接もしくは近接した位置で原稿を押さえることができるため、位置検出部の下側において、原稿と位置検出部との距離を一定に保つことができる。
【００５１】
Ｃ．第３の実施例：
Ｃ１．マウススキャナーの外部構成：
図９は、本発明の第３の実施例におけるマウススキャナーの上側の外観を例示した説明図である。図１０は、本発明の第３の実施例におけるマウススキャナーの下側の外観を例示した説明図である。図１１は、マウススキャナーの底部の配置構成を説明するための説明図である。マウススキャナー１００は、読み取り対象物（原稿）を光学的に読み取り、ケーブル２００を介して接続されている図示しないコンピュータに画像データを出力する画像読み取り装置として機能するほか、コンピュータの操作に用いられるポインティングデバイスとしても機能する。マウススキャナー１００は、いわゆる手走査型のスキャナーであり、手動により装置自体を読み取り対象物（原稿）上で走査させることにより原稿を読み取る。図９、図１０に示すように、マウススキャナー１００は、上側ハウジング部材１１０と、下側ハウジング部材１２０と、ホイール１３１と、読取ボタン１３２と、透過板１４０と、前方フット部１５１と、後方フット部１５２を備えている。
【００５２】
上側ハウジング部材１１０は、略長板形状の外形を備えた蓋部材であり、下側ハウジング部材１２０の上部に配置されている。上側ハウジング部材１１０と下側ハウジング部材１２０は、マウススキャナー１００のハウジングを形成する。上側ハウジング部材１１０は、短辺方向の略中央にホイール用開口部１１１を備え、ハウジングの内部に配置されているホイール１３１の一部がホイール用開口部１１１から露出している。また、上側ハウジング部材１１０は、読取ボタン１３２を配置するため、長辺の一部に切欠部１１２を備えている。本実施例では、図１１に示すように、上側ハウジング部材１１０の短辺方向の幅をＷ１とする。
【００５３】
下側ハウジング部材１２０は、上部が開放された略函形状に形成され、底面部１２０ａと、長辺側側面部１２０ｂと、短辺側側面部１２０ｃと、により構成されている。底面部１２０ａは、下側ハウジング部材１２０の底部に形成され、略長方形状を有している。底面部１２０ａは、長手方向に形成された略直線状の長辺部１２０eと、長手方向に直交する方向（以後「短手方向」と呼ぶ）に形成された略直線状の短辺部１２０ｓと、を備えている。図１１に示すように、短辺部１２０ｓの幅Ｗ２は、上側ハウジング部材１１０の短辺方向の幅Ｗ１より狭くなるように形成されている。よって、本実施例に係るマウススキャナー１００は、長手方向と直交する断面が略台形形状に形成されている。長辺側側面部１２０ｂは、長辺部１２０eを介して底面部１２０ａと連接している。また、短辺側側面部１２０ｃは、底面部１２０ａの短辺部１２０ｓを介して底面部１２０ａと連接している。なお、本実施例では、短辺部１２０ｓは直線状に形成されているが、形状は特に限定されず、例えば、山形形状などの曲線状に形成されていてもよい。
【００５４】
下側ハウジング部材１２０は、短辺側側面部１２０ｃにコネクタ２０１が接続されるための図示しない開口部を備えている。以後、本実施例において、コネクタ２０１が接続されるための開口部を備えている。以後、本実施例において、コネクタ２０１が接続されるための開口部を備えている一方の短辺側側面部１２０ｃ側をマウススキャナー１００の「前方側」とも呼び、他方の短辺側側面部１２０ｃ側を「後方側」とも呼ぶ。
【００５５】
下側ハウジング部材１２０は、底面部１２０ａの略中央に矩形の原稿読取用開口部１２１を備えている。原稿読取用開口部１２１は、ハウジングの内部に配置されている図示しない撮像部が原稿を読み取るための開口部である。原稿読取用開口部１２１は、一対の端辺が長辺部１２０eと略平行となるように配置されている。本実施例では、底面部１２０ａの短手方向における原稿読取用開口部１２１の端辺と長辺部１２０eとの距離をＤ１とする。原稿読取用開口部１２１は特許請求の範囲における「開口部」に該当する。
【００５６】
下側ハウジング部材１２０は、底面部１２０ａの前方側の短辺部１２０ｓと原稿読取用開口部１２１との間に、底面部１２０ａの短手方向に沿って並ぶ２つの小窓からなる前方側位置検出用開口部１２２を備える。また、後方側の短辺部１２０ｓと原稿読取用開口部１２１との間に、底面部１２０ａの短手方向に沿って並ぶ２つの小窓からなる後方側位置検出用開口部１２３を備える。前方側位置検出用開口部１２２は、開口部の中心から長辺部１２０eまでの距離Ｄ２が原稿読取用開口部１２１の端辺から長辺部１２０eまでの距離Ｄ１より長くなるように配置されている。また、後方側位置検出用開口部１２３は、開口部の中心から長辺部１２０eまでの距離Ｄ３が原稿読取用開口部１２１の端辺から長辺部１２０eまでの距離Ｄ１より長くなるように配置されている。なお、距離Ｄ２と距離Ｄ３は、同じであってもよいし、異なっていてもよい。
【００５７】
下側ハウジング部材１２０は、長辺側側面部１２０ｂの一部で上側ハウジング部材１１０の切欠部１１２と対応する位置に、切欠部１２０ｄを備えている。読取ボタン１３２は、上側ハウジング部材１１０および下側ハウジング部材１２０それぞれの切欠部により形成された開口部に配置されている。ホイール１３１は、マウススキャナー１００をポインティングデバイスとして用いる際に、コンピュータに表示される画像のスクロールや選択等をおこなうために用いられる。読取ボタン１３２は、マウススキャナー１００により原稿の読み取りをおこなう際に押されるボタンである。透過板１４０は、略矩形形状の平板であり、原稿読取用開口部１２１を覆うように配置されている。透過板１４０は、例えば、透明なプラスチック板やガラス板により形成されている。
【００５８】
前方フット部１５１および後方フット部１５２は、マウススキャナー１００と原稿との摩擦を低減させるための滑走用部材であり、プラスチックやウレタン等により形成されている。前方フット部１５１および後方フット部１５２は、略楕円形状の平面と台形の断面を有し、底面部１２０ａに配置されることで底面部１２０ａの外表面に凸部を形成する。よって、マウススキャナー１００を原稿上で走査させた場合には、前方フット部１５１および後方フット部１５２が原稿に接触する。
【００５９】
前方フット部１５１は、底面部１２０ａの前方側の短辺と前方側位置検出用開口部１２２との間に配置されている。前方フット部１５１は、底面部１２０ａの短辺部１２０ｓに沿って延伸した形状を有している。前方フット部１５１は、長辺部１２０eまでの距離Ｄ４が原稿読取用開口部１２１から長辺部１２０eまでの距離Ｄ１より短くなるように配置されている。
【００６０】
後方フット部１５２は、底面部１２０ａの後方側の短辺と後方側位置検出用開口部１２３との間に配置されている。後方フット部１５２は、底面部１２０ａの短辺部１２０ｓに沿って延伸した形状を有している。後方フット部１５２は、長辺部１２０eまでの距離Ｄ５が原稿読取用開口部１２１から長辺部１２０eまでの距離Ｄ１より短くなるように配置されている。
【００６１】
図１２は、フット部の断面形状を例示した説明図である。図１２（ａ）は、図１１のＸ−Ｘ断面を例示している。図１２（ｂ）は、図１１のＹ−Ｙ断面を例示している。図１２（ａ）に示すように、前方フット部１５１は、原稿と接触する接触面１５１ａと、厚み方向に形成される側面１５１ｂと、接触面１５１ａと側面１５１ｂとの間に形成される面取り部１５１ｃと、を備えている。面取り部１５１ｃは、接触面１５１ａを原稿に接触させた際の原稿との角度θ１が１０〜４５°となるように形成されている。角度θ１は、２８°程度とすることが望ましい。
【００６２】
前方フット部１５１と同様に、後方フット部１５２は、図１２（ｂ）に示すように、原稿と接触する接触面１５２ａと、厚み方向に形成される側面１５２ｂと、接触面１５２ａと側面１５２ｂとの間に形成される面取り部１５２ｃと、を備えている。面取り部１５２ｃは、接触面１５２ａを原稿に接触させた際の原稿との角度θ２が１０〜４５°となるように形成されている。角度θ２は、２８°程度とすることが望ましい。
【００６３】
Ｃ２．位置検出モジュールの配置構成：
マウススキャナー１００は、ハウジングの内部に４つの位置検出モジュールを備えている。位置検出モジュールは、前方側位置検出用開口部１２２および後方側位置検出用開口部１２３の小窓ごとに中心を合わせるようにして配置されている。前方側位置検出用開口部１２２の右側の小窓（図１１左側）に配置される位置検出モジュールを右前方側位置検出モジュールＳｆｒと呼び、前方側位置検出用開口部１２２の左側の小窓（図１１右側）に配置される位置検出モジュールを右前方側位置検出モジュールＳｆｌと呼ぶ。また、後方側位置検出用開口部１２３の右側の小窓（図１１左側）に配置される位置検出モジュールを右後方側位置検出モジュールＳｒｒと呼び、後方側位置検出用開口部１２３の左側の小窓（図１１右側）に配置される位置検出モジュールを右後方側位置検出モジュールＳｒｌと呼ぶ。
【００６４】
位置検出モジュールＳｆｒ、Ｓｆｌ、Ｓｒｒ、Ｓｒｌは、小窓を介して、マウススキャナー１００と、原稿若しくはマウスパット等との相対的な位置や向きを検出する。具体的には、位置検出モジュールＳｆｒ、Ｓｆｌ、Ｓｒｒ、Ｓｒｌは、互いに直交する２方向の移動量を検出する。マウススキャナー１００は、検出された２方向の各移動量から、原稿読み取り装置として読み取った画像の相対的な位置関係や、ポインティングデバイスとしてポインタの移動量等を決定する。マウススキャナー１００は、位置検出モジュールＳｆｒ、Ｓｆｌ、Ｓｒｒ、Ｓｒｌのうち、少なくとも２つのモジュールによって、移動量を検出することで、マウススキャナー１００の移動方向と移動量のほか、回転方向と回転量を算出することができる。
【００６５】
図１３は、マウススキャナーにおける位置検出モジュールの配置構成を説明するための説明図である。図１３は、マウススキャナーの前方側の位置検出モジュールＳｆｒ、Ｓｆｌ、および、後方側の位置検出モジュールＳｒｒ、Ｓｒｌの配置構成を示している。各位置検出モジュールＳｆｒ、Ｓｆｌ、Ｓｒｒ、Ｓｒｌは、それぞれ略正方形状の平面を有し、対角線方向の移動量を検出する。そのため、一方の対角線方向の移動量（以後「Ｙ方向移動量」と呼ぶ）を底面部１２０ａの長手方向の移動量とし、他方の対角線方向の移動量（以後「Ｘ方向移動量」と呼ぶ）を底面部１２０ａの短手方向の移動量とするためには、図１３（ａ）に示すように、位置検出モジュールＳｆｒ、Ｓｆｌ、Ｓｒｒ、Ｓｒｌの対角線が底面部１２０ａの長手方向および短手方向と、それぞれ平行である必要がある。
【００６６】
本実施例における位置検出モジュールＳｆｒ、Ｓｆｌ、Ｓｒｒ、Ｓｒｌは、図１３（ｂ）に示すように、モジュールの端辺が底面部１２０ａの長手方向および短手方向と、それぞれ平行となるように配置されている。そして、マウススキャナー１００は、検出されたＹ方向移動量とＸ方向移動量に対して次式（１）（２）を適用することにより、底面部１２０ａの長手方向の移動量であるＹ’方向移動量と、底面部１２０ａの短手方向の移動量であるＸ’方向移動量とを算出する。
【００６７】
Ｙ’＝Ｘｃｏｓ（４５＋ｅ）＋Ｙｃｏｓ（４５＋ｅ）      ・・（１）
Ｘ’＝Ｘｃｏｓ（４５＋ｅ）−Ｙｃｏｓ（４５＋ｅ）      ・・（２）
ここで、ｅは、位置検出モジュールを実装する際の設置誤差である。
【００６８】
すなわち、マウススキャナー１００は、検出された位置検出モジュールの対角線方向の移動量を、底面部１２０ａの長手方向成分と、底面部１２０ａの短手方向成分に分解することにより、底面部１２０ａの長手方向の移動量と、底面部１２０ａの短手方向の移動量を算出する。よって、本実施例に係る位置検出モジュールＳｆｒ、Ｓｆｌ、Ｓｒｒ、Ｓｒｌは、図１３（ｂ）に示すように、短手方向の幅Ｌ１が、図１３（ａ）に示すように配置された位置検出モジュールの短手方向の幅Ｌ２より狭い。
【００６９】
Ｃ３．マウススキャナーによる原稿の読み取り：
図１４は、マウススキャナーによる原稿の読み取り状態を説明するための説明図である。図１５は、原稿読み取り時のフット部付近の状態を例示した説明図である。図１４（ａ）に示すように、マウススキャナー１００により、本３００のページの上端部付近を読み取る場合には、前方側の位置検出モジュールＳｆｒ、Ｓｆｌが原稿面上から外れる場合がある。しかし、この場合であっても、後方側の２つの位置検出モジュールＳｒｒ、Ｓｒｌが原稿面上に残るため、２つの位置検出モジュールにより移動量の検出をおこなうことができる。また、同様に、マウススキャナー１００により、本３００のページの下端部付近を読み取る場合には、後方側の位置検出モジュールＳｒｒ、Ｓｒｌが原稿面上から外れる場合がある。しかし、前方側の位置検出モジュールＳｆｒ、Ｓｆｌが原稿上に残るため、２つの位置検出モジュールにより移動量の検出をおこなうことができる。
【００７０】
位置検出モジュールＳｆｒ、Ｓｆｌ、Ｓｒｒ、Ｓｒｌは、原稿読取用開口部１２１より、長辺部１２０eから遠い位置に配置されている。そのため、本３００のページの小口側端部付近を読み取るために原稿読取用開口部１２１の端辺と原稿の小口側端部とを重ねても、位置検出モジュールＳｆｒ、Ｓｆｌ、Ｓｒｒ、Ｓｒｌは原稿上に残る。よって、この場合についても、２以上の位置検出モジュールにより移動量の検出をおこなうことができる。
【００７１】
また、マウススキャナー１００は、底面部１２０ａが長方形状に形成されている。そのため、図１４（ｂ）に示すように、本３００ののどに形成されるページの谷間付近の山形形状の原稿を読み取る際にも、短手方向の幅が抑制されているため良好に原稿を読み取ることができる。また、長辺部１２０eが略直線状であるため、ページの谷間にマウススキャナー１００を這わせて原稿を読み取ることができる。
【００７２】
前方フット部１５１および後方フット部１５２は、原稿読取用開口部１２１より、長辺部１２０eに近い位置に配置されているため、原稿の端部付近を読み取る際にも、接触面１５１ａ、１５２ａの一部が原稿上に残りやすい。従って、原稿上から外れた前方フット部１５１および後方フット部１５２が原稿に乗り上げる際の原稿の引っかかりを抑制することができる。また、図１５（ａ）（ｂ）に示すように、前方フット部１５１および後方フット部１５２は、原稿の端部付近を読み取るために一度原稿面上から外れ、再度、原稿上に乗り上げる場合であっても、乗り上げる際に、接触する原稿の端部を、面取り部１５１ｃ、１５２ｃにより下方向に移動させるため、良好に乗り上げることができる。
【００７３】
以上説明した第３の実施例に係るマウススキャナー１００によれば、底面部１２０ａの長辺部１２０eが直線状に形成されているため、走査性を向上させることができる。具体的には、長辺部１２０eの直線形状を本のページの谷間の直線形状に沿わせることで、従来の原稿読み取り装置に比べて、原稿読取用開口部１２１をページの谷間の比較的深い位置に移動させることができるため、良好に原稿を読み取ることができる。
【００７４】
また、前方フット部１５１および後方フット部１５２が底面部１２０ａの短辺部１２０ｓに沿って延伸する形状を有しているため、走査性を向上させることができる。具体的には、前方フット部１５１および後方フット部１５２は、底面部１２０ａの短辺部１２０ｓに沿って延伸しているため、走査時に、接触面１５１ａ、１５２ａの一部が原稿上に残りやすい。よって、原稿上から外れた前方フット部１５１および後方フット部１５２が原稿に乗り上げる際の原稿の引っかかりを抑制することができる。
【００７５】
さらに、底面部１２０ａの短手方向において、長辺部１２０eから前方フット部１５１および後方フット部１５２までの距離が、長辺部１２０eから原稿読取用開口部１２１までの距離より短いため、原稿の端部付近を読み取る際にも、接触面１５１ａ、１５２ａの一部が、より原稿上に残りやすく、前方フット部１５１および後方フット部１５２による原稿の引っかかりを抑制することができる。
【００７６】
第３の実施例に係るマウススキャナー１００によれば、前方フット部１５１および後方フット部１５２は、面取り部１５１ｃ、１５２ｃを備えているため、走査性を向上させることができる。具体的には、前方フット部１５１および後方フット部１５２が原稿上に乗り上げる際に、接触する原稿の端部を面取り部１５１ｃ、１５２ｃにより下方向に移動させることができるため、原稿の引っかかりを抑制することができる。
【００７７】
第３の実施例に係るマウススキャナー１００によれば、長手方向と直交する断面が、台形形状を有しているため、走査性を向上させることができる。具体的には、上側ハウジング部材１１０の短辺方向の幅が底面部１２０ａの幅より広いため、持ちやすく、また、走査時に、ハウジングとページの山状部との干渉が抑制されるため、マウススキャナー１００を良好に走査させることができる。
【００７８】
第３の実施例に係るマウススキャナー１００によれば、原稿読取用開口部１２１と、前方フット部１５１および後方フット部１５２と、の間に、位置検出モジュールＳｆｒ、Ｓｆｌ、Ｓｒｒ、Ｓｒｌを備えているため、原稿の読み取り時に少なくとも２つの位置検出モジュールが原稿上に残ることができ、原稿読み取り装置の移動量および移動方向を良好に検出することができる。
【００７９】
Ｄ．変形例：
なお、この発明は上記の実施例や実施形態に限られるものではなく、その要旨を逸脱しない範囲において種々の態様において実施することが可能であり、例えば次のような変形も可能である。
【００８０】
Ｄ１．変形例１：
図１６は、変形例１に係るマウススキャナーの下側の外観を例示した説明図である。第１の実施例係るマウススキャナー１００のフット部１５１、１５２は、位置検出部ごとにそれぞれ１つの検出用開口部が形成されているが、フット部１５１、１５２は、１つの検出用開口部に、２以上の位置検出部が対向するように形成されていてもよい。例えば、図１６に示すように、前方フット部１５１は、１つの検出用開口部１５１ｈを備え、この検出用開口部１５１ｈに２つの位置検出部（前方左側位置検出部Ｓｆｌ、前方右側位置検出部Ｓｆｒ）がそれぞれ対向してもよい。また同様に、後方フット部１５２は、１つの検出用開口部１５２ｈを備え、この検出用開口部１５２ｈに２つの位置検出部（後方左側位置検出部Ｓｒｌ、後方右側位置検出部Ｓｒｒ）が対向してもよい。また、マウススキャナーは、図１６に示すフット部の代わりにハウジングと一体的に形成された凸状部を備えていてもよい。すなわち、凸状部の接触面は、位置検出部を１つずつ囲んだ形状を備えている場合のほか、２以上の位置検出部をまとめて囲んだ形状を備えていてもよい。
【００８１】
Ｄ２．変形例２：
図１７は、変形例２に係るマウススキャナーの上側の外観を例示した説明図である。図１８は、変形例２に係るマウススキャナーの底部の配置構成を説明するための説明図である。本実施例に係るマウススキャナー１００は、上側ハウジング部材１１０が、略長板形状の外形を備えているが、上側ハウジング部材１１０の形状はこれに限られず、例えば、図１７に示すように台形形状の平面を有していてもよい。この場合であっても、マウススキャナー１００の走査性を向上させることができる。例えば、図１８に示すように、上側ハウジング部材１１０の前方側における短辺方向の幅Ｗ３が後方側の幅Ｗ４より広く形成されている場合には、走査時に持ちやすく、マウススキャナー１００を容易に走査させることができる。一方、底面部１２０ａの幅Ｗ２は、幅Ｗ３および幅Ｗ４より狭いため、容易に原稿を読み取ることができる。
【００８２】
マウススキャナー１００のハウジングの形状は、本実施例や変形例に示した形状に限定されず、これ以外の形状を備えていてもよい。例えば、マウススキャナー１００のハウジングは、楕円形状に形成さていてもよいし、断面は山形形状を有していてもよい。また、本実施例では、上側ハウジング部材１１０を蓋部材として説明したが、下側ハウジング部材１２０が下蓋となるような形状を備えていてもよい。
【００８３】
Ｄ３．変形例３：
本実施例に係るマウススキャナー１００は、前方フット部１５１および後方フット部１５２は、長辺部１２０eまでの距離が読取用開口部１２１から長辺部１２０eまでの距離より短くなるように配置されているが、必ずしも長辺部１２０eまでの距離が、読取用開口部１２１から長辺部１２０eまでの距離以下である必要はない。長辺部１２０eまでの距離が、読取用開口部１２１から長辺部１２０eまでの距離以上であっても、走査時に接触面１５１ａ、１５２ａの一部が原稿上に残りやすいため、原稿上から外れた前方フット部１５１および後方フット部１５２が原稿に乗り上げる際の原稿の引っかかりを抑制することができる。また、位置検出部による誤検出等の不具合の発生を抑制することができる。また、面取り部を備えていれば、一度原稿上から外れたフット部１５１、１５２が再び原稿に乗り上げる際の原稿の引っかかりを抑制することができる。なお、前方フット部１５１および後方フット部１５２の形状は、異なる形状であってもよいし、同一形状であってもよい。
【００８４】
Ｄ４．変形例４：
本実施例に係るマウススキャナー１００は、面取り部１５１ｃ、１５２ｃの原稿に対する角度が角度θ１と角度θ２で一定として説明しているが、角度θ１と角度θ２は必ずしも一定である必要ななく、面取り部１５１ｃ、１５２ｃは、断面方向により異なる角度を有していてもよい。また、本発明は、前方フット部１５１もしくは後方フット部１５２のいずれか一方、もしくは、両方において、面取り部１５１ｃ、１５２ｃを備えていなくても実現することができる。
【００８５】
Ｄ５．変形例５：
本実施例に係るマウススキャナー１００は、読取用開口部１２１の一対の端辺が長辺部１２０eと略平行となるように形成されているが、読取用開口部１２１の位置、形状はこれに限られず、例えば、円形形状を有していてもよいし、底面部１２０ａの一方に偏在していてもよい。
【００８６】
Ｄ６．変形例６：
本実施例に係るマウススキャナー１００のハウジングは、上側ハウジング部材にホイール用開口部１１１を備えているが、ホイール１３１を備えていない態様であってもよい。また、本実施例の読取ボタン１３２は、マウススキャナー１００の側面部に配置されているが、これ以外の位置に配置されていてもよい。
【００８７】
Ｄ７．変形例７：
本実施例に係るマウススキャナー１００は、ポインティングデバイスとしての機能を有しているが、スキャニング機能のみを備えた原稿読み取り装置としても実現してもよい。
【００８８】
Ｄ８．変形例８：
第３の実施例に係るマウススキャナー１００は、各位置検出モジュールＳｆｒ、Ｓｆｌ、Ｓｒｒ、Ｓｒｌの端辺が底面部１２０ａの長手方向および短手方向と、それぞれ平行となるように配置されているが、各位置検出モジュールＳｆｒ、Ｓｆｌ、Ｓｒｒ、Ｓｒｌの配置位置には特に制限はなく、例えば、位置検出モジュールＳｆｒ、Ｓｆｌ、Ｓｒｒ、Ｓｒｌは、それぞれの対角線が底面部１２０ａの長手方向および短手方向と平行となるように配置されていてもよい。また、本実施例に係るマウススキャナー１００は、式（１）（２）を適用することにより、底面部１２０ａの長手方向の移動量と、底面部１２０ａの短手方向の移動量を算出しているが、本発明は、位置検出モジュールの配置や、位置検出モジュールの検出方向等の使用の差異等により、式（１）（２）を適用しないマウススキャナーとしても実現することができる。
【００８９】
Ｄ９．変形例９：
本発明は、ハンドスキャナーやマウススキャナーのほか、例えば、ハンドスキャナーを一部に備えたコピー装置やファクシミリ装置などにより実現することができる。
【符号の説明】
【００９０】
１００，１０１…マウススキャナー
１１０…上側ハウジング部材
１２０，１２５…下側ハウジング部材
１２０ａ…底面部
１２０ｓ…短辺部
１２０e…長辺部
１２１…読取用開口部
１３１…ホイール
１３２…読取ボタン
１４０…透過板
１５１…前方フット部
１５２…後方フット部
１５１ｈ，１５２ｈ…検出用開口部
２００…ケーブル
３００…本
Ｐ…原稿
Ｓｆｒ，Ｓｆｌ，Ｓｒｒ，Ｓｒｌ…位置検出部
【図１】
2011029832.tif 000003
【図２】
2011029832.tif 000004
【図３】
2011029832.tif 000005
【図４】
2011029832.tif 000006
【図５】
2011029832.tif 000007
【図６】
2011029832.tif 000008
【図７】
2011029832.tif 000009
【図８】
2011029832.tif 000010
【図９】
2011029832.tif 000011
【図１０】
2011029832.tif 000012
【図１１】
2011029832.tif 000013
【図１２】
2011029832.tif 000014
【図１３】
2011029832.tif 000015
【図１４】
2011029832.tif 000016
【図１５】
2011029832.tif 000017
【図１６】
2011029832.tif 000018
【図１７】
2011029832.tif 000019
【図１８】
2011029832.tif 000020